(57)【要約】【課題】本発明は、文字などの記載部分の耐久性が高いラベルの作成具及び作成方法を提供する。【解決手段】本発明では、非吸収面２aから剥離可能なインクを内蔵する筆記具Ａ又はこのようなインクの付着が可能なスタンプなどを利用し、筆記具Ａ又はスタンプなどによって被記載部材２の被記載面２ａに文字などを記載する。被記載面２ａはインクを吸収しない面として形成され、インクのもっている剥離作用によって記載された文字などは、被記載面２ａ上で浮き上がったような状態になっている。その後、被記載面２ａ上に粘着部材３を貼り付ける。このとき、粘着部材３は、被記載面２ａに対するインクの付着力より強い粘着力をもっているので、粘着部材３の裏面側の粘着面にインクが転写される。そして、粘着部材３を被記載面２ａから剥がすと、粘着部材３は透明であるがゆえに、インクで書かれた文字などを透かして上から視認できるラベルＢが完成する。【選択図】図１
2014134733.tif 000002
【特許請求の範囲】
【請求項１】
所望の文字などが記載されたラベルの作成具において、
インクに対して非吸収性を有する被記載面が設けられると共に、前記被記載面に対して剥離可能で且つ非吸収であるインクでの記載が可能な被記載部材と、
前記被記載面上に貼着可能であると共に、前記被記載面に対する前記インクの付着力より強い粘着力をもった粘着面を少なくとも一方面に備える透明な粘着部材と、を有し、
前記被記載面上には前記所望の文字などを記載する範囲を示す記載枠が描かれていると共に、前記粘着部材の前記粘着面は前記記載枠よりも大きいことを特徴とするラベルの作成具。
【請求項２】
所望の文字などが記載されたラベルの作成方法において、
非吸収性の被記載面から剥離可能なインクを用いて所望の文字などを前記被記載面に記載した後、
前記被記載面上に、前記被記載面に対する前記インクの付着力より強い粘着力をもった透明な粘着部材を貼り付けて、
その後、前記被記載面から前記粘着部材を剥がすことで、前記粘着部材の裏面側の粘着面に前記被記載面上の前記インクを転写させることを特徴とするラベルの作成方法。
【発明の詳細な説明】
【技術分野】
【０００１】
本発明は、ファイルの背表紙、文具などの名前書き、宛名書きなどに利用されるラベルの作成具及び作成方法に関するものである。
【背景技術】
【０００２】
従来、このような分野の技術として、特開平１０−２９１７１９号公報がある。この公報に記載されたラベルの作成具は、ケース内に設けられたリールによってテープが回転自在に支持され、ケースには、リールから離れた位置にカッター部が設けられている。そして、ケースの上面には、リールとカッター部との間に仮接着部が配置され、この仮接着部には、テープから引き出された部分がテープの粘着部によって仮接着される。このような状態で、仮接着部上に配置されたテープの表面に油性マーカー等で文字や図形等を記載し、記載後に仮接着部からテープを剥がし、テープを記載分だけ引き出してカッター部でテープをカットする。このようにして、所望のラベルを簡単に作り出すことができる。また、このようなラベルの作成具を利用しないものとして、粘着台紙の上に字を書いたり、字が消えないようにするために、台紙の上に防水シートを貼るようになったもの等がある。ラベルの利用形態としては、ＣＤやＤＶＤのタイトル、文具や什器への名前書き、郵便や小包の宛名書きなど、直接書く事が難しいものや、好ましくないものなど様々である。
【先行技術文献】
【特許文献】
【０００３】
【特許文献１】特開平１０−２９１７１９号公報
【発明の概要】
【発明が解決しようとする課題】
【０００４】
しかしながら、前述した従来のラベルの作成具を利用すると、テープの表面に文字などを記載したラベルを容易に製作することはできるが、文字などがラベルの表面に記載されているので、耐水性はあるが、擦れにより文字などの記載部分が消え易く、記載部分の耐久性が乏しくなるといった問題点がある。
【０００５】
本発明は、文字などの記載部分の耐久性が高いラベルの作成具及び作成方法を提供することを目的とする。
【課題を解決するための手段】
【０００６】
本発明は、所望の文字などが記載されたラベルの作成具において、
インクに対して非吸収性を有する被記載面が設けられると共に、被記載面に対して剥離可能で且つ非吸収であるインクでの記載が可能な被記載部材と、
被記載面上に貼着可能であると共に、被記載面に対するインクの付着力より強い粘着力をもった粘着面を少なくとも一方面に備える透明な粘着部材と、を有し、
被記載面上には所望の文字などを記載する範囲を示す記載枠が描かれていると共に、粘着部材の粘着面は記載枠よりも大きいことを特徴とする。
【０００７】
このラベルの作成具においては、被記載面に対して剥離可能で且つ非吸収性のインクを内蔵する筆記具又はこのようなインクの付着が可能なスタンプなどを利用し、筆記具又はスタンプなどによって被記載部材の被記載面に文字などを記載する。被記載面はインクを吸収しない面として形成されているので、インクの剥離作用によって、記載された文字などは、被記載面上で浮き上がったような状態になっている。その後、被記載面上に粘着部材を貼り付ける。このとき、粘着部材は、被記載面に対するインクの付着力より強い粘着力をもっているので、粘着部材の粘着面にインクが転写される。そして、粘着部材を被記載面から剥がすと、粘着部材は透明であるがゆえに、インクで書かれた文字などを透かして上から視認することができ、このように作成されたラベルは、粘着部材の粘着力を利用して文具や什器に貼ることができる。そして、文字などは、粘着部材の裏に記載されることになるので、擦れによって文字などの記載部分が消え難く、よって、記載部分の耐久性を高めることができる。
【０００８】
本発明は、所望の文字などが記載されたラベルの作成方法において、
非吸収性の被記載面から剥離可能なインクを用いて所望の文字などを被記載面に記載した後、
被記載面上に、被記載面に対するインクの付着力より強い粘着力をもった透明な粘着部材を貼り付けて、
その後、被記載面から粘着部材を剥がすことで、粘着部材の裏面側の粘着面に被記載面上のインクを転写させることを特徴とする。
【０００９】
このラベル作成方法においては、被記載面に対して剥離可能で且つ非吸収性のインクを内蔵する筆記具又はこのようなインクの付着が可能なスタンプなどを利用し、筆記具又はスタンプなどによって被記載部材の被記載面に文字などを記載する。その後、記載された文字などは、被記載面上で浮き上がったような状態になっているので、その状態で、被記載面上に粘着部材を貼り付ける。このとき、粘着部材は、被記載面に対するインクの付着力より強い粘着力をもっているので、粘着部材の粘着面にインクを乗り移らせ、インクを転写させる。そして、インク転写後、粘着部材を被記載面から剥がすと、粘着部材は透明であるがゆえに、インクで書かれた文字などを透かして上から視認することができ、このように作成されたラベルは、粘着部材の粘着力を利用して文具や什器に貼ることができる。そして、文字などは、粘着部材の裏に記載されることになるので、擦れによって文字などの記載部分が消え難く、よって、記載部分の耐久性を高めることができる。
【発明の効果】
【００１０】
本発明によれば、文字などの記載部分の耐久性が高いラベルの簡単に作成することができる。
【図面の簡単な説明】
【００１１】
【図１】（ａ）は、本発明に係るラベルの作成具の一実施形態を示す斜視図であり、（ｂ）及び（ｃ）は、ラベル作成手順を示す斜視図である。
【図２】（ｄ）及び（ｅ）は、ラベル作成手順を示す斜視図であり、（ｆ）は、ラベルの作成具によって製作されたラベルを示す正面図である。
【発明を実施するための形態】
【００１２】
以下、図面を参照しつつ本発明に係るラベルの作成具及びラベルの作成方法の好適な実施形態について詳細に説明する。
【００１３】
図１(ａ)に示されるように、ラベルの作成具１は、記載具の一例である筆記具Ａのインクにより筆記可能な被記載面２ａを有するシート状又はフィルム状の被記載部材２と、被記載部材２の被記載面２ａ上に貼られたシート状又はフィルム状の透明な粘着部材３と、を備えている。また、被記載面２ａには、粘着部材３のサイズより一回り小さな記載枠２ｂが描かれている。この記載枠２ｂ内にインクで文字や図形などが書き込まれる。なお、粘着部材３は透明であり、この場合の透明とは、後述の通り、被記載面２ａに記載された文字等が転写された際に転写面の反対側から視認可能な程度のものを含み、略完全な透明以外に半透明をも含む。
【００１４】
図１(ｂ)に示されるように、被記載部材２上に貼り付けられた粘着部材３を一端側から剥がして記載枠２ｂを露出させる。このとき、被記載部材２上で、粘着部材３の他端は被記載部材２に貼り付けた状態に保たれる。このようにすることで、粘着部材３を被記載面２ａ上の元の位置に容易に戻すことができる。
【００１５】
この記載枠２ｂ内に記載するための筆記具Ａに利用されるインクは、非吸収面から剥離可能なインクにより形成される。筆記具Ａの好適な具体例としては、いわゆるボードマーカーが挙げられる。ボードマーカーのインクは、一般的には溶剤(主にアルコール) と顔料と樹脂と剥離剤とを主成分とし、均質な状態で混ざり合っている。また、被記載面２ａは、インクを吸収しない素材からなる。被記載部材２としては、例えば、フィルム状又はシート状のホワイトボードがある。また、被記載部材２の他の素材として、金属、プラスチック、ガラス等及びこれらをコーティングした表面を持つものがある。
【００１６】
例えば一般的なボードマーカーを用いた場合には、このような被記載面２ａ上の記載枠２ｂ内にインクで文字などを記載すると、被記載面２ａ上のインクの溶剤が揮発を開始し、溶剤が揮発して飛んでしまうと、樹脂が顔料分をつなぐバインダーの役割を果たし、顔料の皮膜を形成する。その時、皮膜は被記載面２ａから浮き上がり、剥離剤だけが被記載面２ａに付着している状態になる。
【００１７】
図１(ｃ)に示されるように、記載枠２ｂ内にインクで文字などを記載完了後、記載枠２ｂを粘着部材３で覆うように、粘着部材３を被記載面２ａ上の元の位置に戻す。そして、粘着部材３の貼り付け状態を完全にするためには、図２(ｄ)に示されるように、指などで粘着部材３の表面を擦って、被記載面２ａ上に粘着部材３をしっかり貼り付けるようにする。
【００１８】
この場合、粘着部材３の裏面の粘着面は、被記載面２ａ上に貼着可能であると共に、被記載面２ａに対するインクの付着力より強い粘着力をもっている。従って、記載枠２ｂ内に書かれた文字などが剥離可能な状態である粘着部材３の裏面の粘着面に文字が乗り移り、粘着部材３の裏面の粘着剤によりインクの文字が転写される。
【００１９】
図２(ｅ)に示されるように、被記載部材２上に貼り付けられた粘着部材３を一端側から完全に剥がし取る。これによって、図２(ｆ)に示されるようなラベルＢが完成する。
【００２０】
「記載具」としては、筆記具Ａの他に非吸収面から剥離可能なインクを用いたスタンプ等を用いることができる。インクの色は、黒、赤に限らず、識別性を高めるために、黄、青、黄緑、白、ピンクなどが可能であり、筆記具Ａは、細芯が好ましいが、太芯であってもよい。
【００２１】
「透明（半透明を含む）な粘着部材３」としては、例えば、透明なセロハンテープ、半透明なメンディングテープ、半透明なマスキングテープが利用可能である。粘着部材３の色は無色に限らず、識別性を高めるために、赤、黄、青、若葉、黄緑、白、ピンクなどの有色でもよく、柄が入っていてもよい。
【００２２】
前述したラベルBの作成具１や作成方法においては、非吸収面（被記載面）２aから剥離可能なインクを内蔵する筆記具Ａ又はこのようなインクの付着が可能なスタンプ（不図示）などを利用し、筆記具Ａ又はスタンプなどによって被記載部材２の被記載面２ａに文字などを記載する。被記載面２ａはインクを吸収しない面として形成されているので、インクの剥離作用によって記載された文字などは、被記載面２ａ上で浮き上がったような状態になっている。その後、被記載面２ａ上に粘着部材３を貼り付ける。このとき、粘着部材３は、被記載面２ａに対するインクの付着力より強い粘着力をもっているので、粘着部材３の裏面側の粘着面にインクが転写される。
【００２３】
そして、粘着部材３を被記載面２ａから剥がすと、粘着部材３は透明であるがゆえに、インクで書かれた文字などを透かして上から視認することができ、このように作成されたラベルは、粘着部材３の粘着力を利用して文具や什器に貼ることができる。そして、文字などは、粘着部材３の裏に記載されることになるので、擦れによって文字などの記載部分が消えることがなく、よって、記載部分の耐久性を高めることができる。
【００２４】
本発明は、前述した実施形態に限定されず、本発明の要旨を逸脱しない範囲で種々の変形が可能である。
【００２５】
例えば、被記載部材２の被記載面２ａ上に透明な粘着部材３が複数枚並置されたものであってもよい。このように被記載部材２の上に複数枚の粘着部材３が貼られたラベルの作成具にあっては、被記載部材２の被記載面２ａ上には、粘着部材３への転写に必要な大きさの記載枠２ｂがそれぞれ描かれており、未使用状態にあっては、各記載枠２ｂを覆うように粘着部材３が貼られている。そして、使用時には、粘着部材３の一端側から粘着部材３をめくるようにして、被記載部材２の記載枠２ｂを露出させる。その後、記載枠２ｂに文字などを記載して、再度、記載枠２ｂを覆うように粘着部材３を被記載部材２に貼り戻す。すると、粘着部材３の粘着面にインクが転写され、粘着部材３を被記載面２ａから完全に剥がして、それをラベルとして利用することができる。
【００２６】
また、被記載部材２と粘着部材３とを個別に用意し、ラベル作成時に、被記載部材２の被記載面２ａに文字などを記載した後、文字の上から粘着部材３を貼るようにしてもよい。
【００２７】
また、被記載部材２は、使い捨てであっても、再利用されてもよい。
【００２８】
さらに、粘着部材３は少なくとも一方面に粘着面が形成されていれば足り、用途によっては両面に粘着面が形成されていても良い。
【００２９】
さらに、被記載部材２は、少なくとも記載枠２ｂ内の必要部分が非吸収面として形成されていれば足りるので、吸収性を有する部材との複合した部材として形成されていても良い。
【符号の説明】
【００３０】
１…ラベルの作成具  ２…被記載部材  ２ａ…被記載面（非吸収面）  ２ｂ…記載枠  ３…粘着部材  Ａ…筆記具  Ｂ…ラベル
【図１】
2014134733.tif 000003
【図２】
2014134733.tif 000004